【手続補正書】
【提出日】平成21年12月17日(2009.12.17)
【手続補正１】
【補正対象書類名】特許請求の範囲
【補正対象項目名】請求項１
【補正方法】変更
【補正の内容】
【請求項１】
複数のサブピクセルを有する表示パネルと、
外部システムから入力される中間階調の表示データを異なる値に変換する第１及び第２変換回路と、
外部システムからの入力信号に基づき前記表示パネルを駆動するための制御信号を生成する信号生成回路と、
前記表示データに対応する映像電圧を前記各サブピクセルへ出力するドライバとを有し、
連続する２フレーム期間において、前記外部システムから同一の表示データである第１表示データと第２表示データとが連続して入力される表示装置であって、
前記第１表示データにオーバードライブ処理を施すオーバードライブ回路を有し、
前記第１の変換回路は、外部システムから入力されるフレーム区別信号に基づき、前記オーバードライブ回路でオーバードライブ処理が施された前記第１表示データを変換し、
前記第２の変換回路は、前記フレーム区別信号に基づき前記第２表示データを変換し、
前記外部システムから入力される表示データが中間階調である場合に、変換後の前記第２表示データによる輝度は、変換後の前記第１表示データによる輝度よりも低いことを特徴とする表示装置。
【手続補正２】
【補正対象書類名】特許請求の範囲
【補正対象項目名】請求項３
【補正方法】変更
【補正の内容】
【請求項３】
前記現フレームの表示データと、前記１つ前のフレームの表示データとを保持するフレームメモリを有し、
前記オーバードライブ回路は、現フレームの表示データと、１つ前のフレームの表示データとの差分に基づき、前記第１表示データに施すオーバードライブ処理の補正量を決定することを特徴とする請求項１または請求項２に記載の表示装置。
【手続補正３】
【補正対象書類名】明細書
【補正対象項目名】０００７
【補正方法】変更
【補正の内容】
【０００７】
本願において開示される発明のうち、代表的なものの概要を簡単に説明すれば、下記の通りである。
（１）複数のサブピクセルを有する表示パネルと、外部システムから入力される中間階調の表示データを異なる値に変換する第１及び第２変換回路と、外部システムからの入力信号に基づき前記表示パネルを駆動するための制御信号を生成する信号生成回路と、前記表示データに対応する映像電圧を前記各サブピクセルへ出力するドライバとを有し、連続する２フレーム期間において、前記外部システムから同一の表示データである第１表示データと第２表示データとが連続して入力される表示装置であって、前記第１表示データにオーバードライブ処理を施すオーバードライブ回路を有し、前記第１の変換回路は、外部システムから入力されるフレーム区別信号に基づき、前記オーバードライブ回路でオーバードライブ処理が施された前記第１表示データを変換し、前記第２の変換回路は、前記フレーム区別信号に基づき前記第２表示データを変換し、前記外部システムから入力される表示データが中間階調である場合に、変換後の前記第２表示データによる輝度は、変換後の前記第１表示データによる輝度よりも低い。
【手続補正４】
【補正対象書類名】明細書
【補正対象項目名】０００８
【補正方法】変更
【補正の内容】
【０００８】
（２）（１）において、前記ドライバは、前記連続する２フレーム期間の１番目のフレーム期間に、変換後の第１の表示データに対応する第１映像電圧を前記各サブピクセルへ出力し、前記連続する２フレーム期間の２番目のフレーム期間に、変換後の第２表示データに対応する第２映像電圧を前記各サブピクセルへ出力する。
（３）（１）または（２）において、前記現フレームの表示データと、前記１つ前のフレームの表示データとを保持するフレームメモリを有し、前記オーバードライブ回路は、現フレームの表示データと、１つ前のフレームの表示データとの差分に基づき、前記第１表示データに施すオーバードライブ処理の補正量を決定する。
（４）（３）の何れかにおいて、前記フレームメモリに保持された前記現フレームの表示データと、前記１つ前のフレームの表示データとが一致するときに一致信号を出力する回路を有し、前記フレーム区別信号に代えて、前記一致信号を使用する。
【手続補正５】
【補正対象書類名】明細書
【補正対象項目名】００１３
【補正方法】変更
【補正の内容】
【００１３】
図２は、図１に示す表示データ変換回路５の概略構成を示すブロック図である。図２において、５１はオーバードライブ処理回路、５２はＦＢＩ処理回路である。
オーバードライブ処理回路５１は、明フレーム用のオーバードライブ補正量を格納するルックアップテーブル２１１と、暗フレーム用のオーバードライブ補正量を格納するルックアップテーブル２１２と、セレクタ２１３と、メモリ２１４と、演算回路２１５とで構成される。なお、明フレームと暗フレームについては後述する。
本実施例では、外部から、１２０Ｈｚフレーム毎に、同じ表示データが２回入力される。この外部から１２０Ｈｚフレーム毎に入力される表示データは、メモリ２１４に順番に格納される。また、図２に示すように、本実施例では、第１表示データと、第２表示データを区別するためのフレーム区別信号（ＦＪ−Ｒｙｎｃ）が外部から入力される。
メモリ２１４から読み出された現フレームの一つ前の表示データ２０３と、現フレームの表示データ２０４とは演算回路２１５に入力され、演算回路２１５は、表示データ２０３と表示データ２０４とを比較し、読み出しアドレス２０１を生成し、オーバードライブ補正量を、ルックアップテーブル２１１とルックアップテーブル２１２から読み出す。
ルックアップテーブル２１１から読み出されたオーバードライブ補正量と、ルックアップテーブル２１２から読み出されたオーバードライブ補正量は、フレーム区別信号（ＦＪ−Ｒｙｎｃ）により制御されるセレクタ２１３に基づき、どちらか一方のオーバードライブ補正量２０２が演算回路２１５に入力される。演算回路２１５は、表示データ２０４にオーバードライブ補正量２０２を加算、あるいは表示データ２０４からオーバードライブ補正量２０２を減算して、現フレームの表示データ２０４にオーバードライブ処理を施す。なお、実際には、オーバードライブ処理は明フレームのみ実施するので、ルックアップテーブル２１２内の補正量は０とされる。
【手続補正６】
【補正対象書類名】明細書
【補正対象項目名】００１６
【補正方法】変更
【補正の内容】
【００１６】
図３は、本実施例のＦＢＩ駆動方法を説明するための図である。なお、図３は、矢印Ａの方向に、灰色の物体が移動した時の状態を表す図であり、図３において、ＦＲＤは、１フィルドの１表示ライン上のサブピクセルの輝度を表し、破線矢印は時間経過を示す。
本実施例でも、図３（ｉ）に示すように、液晶表示モジュールには、外部から、６０Ｈｚの２倍周期の１２０Ｈｚフレーム期間毎に、同一の表示データが２回入力される。そして、図３（ｊ）に示すように、第１表示データにオーバードライブ（ＯＤ）処理を施す。なお、図３では、オーバードライブが施された表示データに対応するサブピクセルを太線枠で図示している。また、オーバードライブ（ＯＤ）処理は第１表示データのみに施される。
次に、ＦＢＩ処理を実行するが、本実施例では、フレーム区別信号（ＦＪ−Ｒｙｎｃ）が入力されるので、例えば、フレーム区別信号（ＦＪ−Ｒｙｎｃ）の立ち上がりを検出し、フレーム区別信号（ＦＪ−Ｒｙｎｃ）の立ち上がりを検出した後に入力される最初の表示データを第１表示データと定義することにより、確実に、第１表示データを明フレーム用の表示データに、第２表示データを暗フレーム用の表示データに変換することができる。
なお、本実施例では、例えば、メモリ２１４において、メモリ２１４に格納された現フレームの一つ前の表示データ２０３と、現フレームの表示データ２０４とが一致するか否かを判断し、一致するときに一致信号を出力し、この信号を、フレーム区別信号（ＦＪ−Ｒｙｎｃ）の代わりに使用することも可能である。
【手続補正７】
【補正対象書類名】明細書
【補正対象項目名】００１８
【補正方法】変更
【補正の内容】
【００１８】
表示ディスプレイは人間の目視で各階調間の輝度差が等間隔に近いことが望ましく、一般に２５６階調の場合、液晶駆動用の表示データＤと静的輝度Ｔとの関係は、下記（１）式の、所謂、ガンマカーブを満足するよう設計される。
［数１］
（静的輝度Ｔ）＝（液晶駆動データＤ／２５５）＾γ    ・・・    （１）
尚、γ＝２．２が用いられることが一般的であることから、以下γ＝２．２として説明する。
液晶表示パネル１の立上り時間Ｔｒ、立下り時間Ｔｆが共に０と仮定すると、表示輝度は下記（２）式のように近似できる。
［数２］
表示輝度＝（明フレームの静的輝度Ｔ／）２＋（暗フレームの静的輝度Ｔ）／２
・・・・・・・・・・・・・・・・  （２）
入力表示データをＤｉｎ、明フレームの表示データをＤｌｉｇｈｔ、暗フレームの表示データをＤｄａｒｋとすると、（１）式、（２）式からγ＝２．２において、下記（３）式となり、図４の実線で示される特性が得られる。